(57)【特許請求の範囲】
【請求項１】
第１のサブ画素、第２のサブ画素、及び第３のサブ画素が複数の視点の画像からなる立体画像の視差方向に略垂直な垂直方向に一列に並び、前記第１のサブ画素により前記立体画像を表示するための第１の色光を発する第１の領域と、前記第２のサブ画素により前記立体画像を表示するための前記第１の色光とは異なる第２の色光を発する第２の領域と、前記第３のサブ画素により前記立体画像を表示するための前記第１の色光および前記第２の色光とは異なる第３の色光を発する第３の領域とを有する画素が行列状に配置され、前記視差方向において異なる色光を発するサブ画素が隣接するように配置された表示部と、
前記立体画像を表示する際に、前記垂直方向に延びて光を透過させるスリット領域と光を遮光する遮光領域とが前記視差方向に交互に形成され、少なくとも４つの異なる視点で観察されるように、各視点の前記画像を光学的に分離する分離部と
を備え、
観察者により視認される、所定の視点の前記画像が表示されている前記表示部上の領域内において、前記第１の領域、前記第２の領域、および前記第３の領域のそれぞれの前記視差方向の幅がすべて略等しく、かつ、前記第１の領域、前記第２の領域、前記第３の領域の前記垂直方向の幅が異なる、
表示装置。
【請求項２】
前記第１のサブ画素、前記第２のサブ画素、前記第３のサブ画素が前記垂直方向に配置された第１列と、
前記第１列に隣接し、前記第１のサブ画素、前記第２のサブ画素、前記第３のサブ画素が前記垂直方向に配置された第２列と、
前記第２列に隣接し、前記第１のサブ画素、前記第２のサブ画素、前記第３のサブ画素が前記垂直方向に配置された第３列において、
前記第１列の前記第１サブ画素には前記視差方向に前記第２列の前記第２サブ画素が隣接し、前記第２列の前記第２サブ画素には前記第３列の前記第３サブ画素が隣接するように配置されている、
請求項１に記載の表示装置。
【請求項３】
前記観察者により視認される、所定の視点の前記画像が表示されている前記表示部上の領域内において、前記第３の領域の前記垂直方向の幅は、前記各第１の領域の前記垂直方向の幅よりも広く、かつ、前記各第２の領域の前記垂直方向の幅よりも広い
請求項１または２に記載の表示装置。
【請求項４】
前記第３の色光は青色光であり、前記第１の色光および前記第２の色光のいずれか一方は赤色光である
請求項１乃至３のいずれか一項に記載の表示装置。
【発明の詳細な説明】
【技術分野】
【０００１】
本発明は表示装置に関し、特に、立体画像を表示する表示装置において、より簡単に適切な色バランスを得ることができるようにした表示装置に関する。
【背景技術】
【０００２】
従来、パララックスバリア方式（視差バリア方式）や、レンチキュラーレンズ方式などにより、特殊な眼鏡を必要とせずに立体画像を表示させる表示装置が知られている。
【０００３】
そのような表示装置には、パララックスバリアを市松状に形成し、その横幅を２画素分の幅とすることにより、立体画像のＲ（赤），Ｇ（緑），Ｂ（青）の各色のバランスが崩れることを防止しているものもある（例えば、特許文献１参照）。
【先行技術文献】
【特許文献】
【０００４】
【特許文献１】特開平８−３３１６０５号公報
【発明の概要】
【発明が解決しようとする課題】
【０００５】
しかしながら、上述した技術では、表示装置から射出可能なＲ，Ｇ，Ｂの各色の光の量、つまり各色の開口率は同じであるため、各色の光量を個別に調整し、適切な色バランス（ホワイトバランス）とすることは困難であった。
【０００６】
本技術は、このような状況に鑑みてなされたものであり、立体画像を表示する表示装置において、より簡単に適切な色バランスを得ることができるようにするものである。
【課題を解決するための手段】
【０００７】
本技術の第１の側面の表示装置は、複数の視点の画像からなる立体画像を表示するための第１の色光を発する第１の領域と、前記立体画像を表示するための前記第１の色光とは異なる第２の色光を発する第２の領域とを有する画素が行列状に配置された表示部と、異なる視点の前記画像が観察者の異なる眼で観察されるように、各視点の前記画像を光学的に分離する分離部とを備え、前記観察者により視認される、所定の視点の前記画像が表示されている前記表示部上の領域内において、前記第１の領域と前記第２の領域の前記立体画像の視差方向の幅が略等しく、かつ前記第１の領域と前記第２の領域の前記視差方向に略垂直な垂直方向の幅が異なる。
【０００８】
前記画素には、複数の前記第１の領域を設け、前記観察者により視認される、所定の視点の前記画像が表示されている前記表示部上の領域内において、前記画素内にある複数の前記第１の領域の前記垂直方向の幅の和と、前記第２の領域の前記垂直方向の幅とが異なるようにすることができる。
【０００９】
前記表示部には、複数の前記第１の領域のそれぞれの前記視差方向に長い一つの端に沿うように、前記表示部の配線を設けることができる。
【００１０】
前記画素には、前記立体画像を表示するための前記第１の色光および前記第２の色光とは異なる第３の色光を発する第３の領域を設け、前記観察者により視認される、所定の視点の前記画像が表示されている前記表示部上の領域内において、前記第１の領域乃至前記第３の領域の前記視差方向の幅が略等しく、かつ前記第１の領域乃至前記第３の領域の前記垂直方向の幅が異なるようにすることができる。
【００１１】
前記第１の領域の前記垂直方向の幅を、前記画素上の前記第１の色光を透過させるフィルタに設けられた光を遮光する遮光部の幅により調整することができる。
【００１２】
本技術の第１の側面においては、複数の視点の画像からなる立体画像を表示するための第１の色光を発する第１の領域と、前記立体画像を表示するための前記第１の色光とは異なる第２の色光を発する第２の領域とを有する画素が行列状に配置された表示部に前記立体画像が表示され、異なる視点の前記画像が観察者の異なる眼で観察されるように、各視点の前記画像が光学的に分離される。また、前記観察者により視認される、所定の視点の前記画像が表示されている前記表示部上の領域内において、前記第１の領域と前記第２の領域の前記立体画像の視差方向の幅が略等しく、かつ前記第１の領域と前記第２の領域の前記視差方向に略垂直な垂直方向の幅が異なるようにされている。
【００１３】
本技術の第２の側面の表示装置は、視点画像を表示するための第１の色光を発する第１の領域と、視点画像を表示するための前記第１の色光とは異なる第２の色光を発する第２の領域とを有する画素が行列状に配置された表示部と、第１の方向に並ぶ複数の前記視点画像を光学的に分離する分離部とを備え、前記表示部の前記第１の方向において、前記第１の領域と前記第２の領域の幅が略等しく、かつ前記第１の方向とは異なる第２の方向において前記第１の領域と前記第２の領域の幅が異なる。
【００１４】
本技術の第２の側面においては、視点画像を表示するための第１の色光を発する第１の領域と、視点画像を表示するための前記第１の色光とは異なる第２の色光を発する第２の領域とを有する画素が行列状に配置された表示部に前記複数の視点画像が表示され、第１の方向に並ぶ複数の前記視点画像が光学的に分離される。また、前記表示部の前記第１の方向において、前記第１の領域と前記第２の領域の幅が略等しく、かつ前記第１の方向とは異なる第２の方向において前記第１の領域と前記第２の領域の幅が異なるようにされる。
【発明の効果】
【００１５】
本技術の第１および第２の側面によれば、立体画像を表示する表示装置において、より簡単に適切な色バランスを得ることができる。
【図面の簡単な説明】
【００１６】
【図１】立体映像表示装置の一実施の形態の構成例を示す図である。
【図２】表示部の構成例を示す図である。
【図３】立体画像の一例を示す図である。
【図４】カラーフィルタの配置例を示す図である。
【図５】視点位置における各色の相対透過率を示す図である。
【図６】カラーフィルタの配置例を示す図である。
【図７】各色の光の視差方向への広がり方について説明する図である。
【図８】視点位置における各色の相対透過率を示す図である。
【図９】表示部の構成例を示す図である。
【図１０】カラーフィルタの配置例を示す図である。
【図１１】カラーフィルタの配置例を示す図である。
【図１２】カラーフィルタの配置例を示す図である。
【図１３】カラーフィルタの配置例を示す図である。
【発明を実施するための形態】
【００１７】
以下、図面を参照して、本技術を適用した実施の形態について説明する。
【００１８】
〈第１の実施の形態〉
［立体映像表示装置の構成例］
図１は、本技術を適用した立体映像表示装置の一実施の形態の構成例を示す図である。
【００１９】
立体映像表示装置１１は、パララックスバリア方式による３次元の立体画像と、２次元の平面画像との表示の切り替えを必要に応じて行ないながら、立体画像や平面画像を表示するものである。立体映像表示装置１１は、表示部２１、制御部２２、およびパララックスバリア駆動部２３から構成される。
【００２０】
表示部２１は、バックライト３１、光変調パネル３２、およびパララックスバリア３３からなり、観察者の右眼で観察（知覚）される右眼用の画像と、観察者の左眼で観察される左眼用の画像とからなる３次元の立体画像や、２次元の平面画像を表示する。
【００２１】
すなわち、バックライト３１は、導光板、ＬＥＤ（Light Emitting Diode）等の光源、反射シートなどからなる画像ディスプレイ専用の照明装置であり、画像を表示させるための光を射出し、光変調パネル３２に入射させる。
【００２２】
光変調パネル３２は、Ｒ，Ｇ，Ｂの各色のカラーフィルタ、液晶層、偏光板、薄膜トランジスタなどからなる液晶表示パネルであり、バックライト３１から入射した光を透過させることで、画像を表示させる。このとき、光変調パネル３２は、光変調パネル３２に設けられた画素ごとに、光の透過率を変化させることで、画像の各画素の階調表示を行なう。
【００２３】
パララックスバリア３３は、偏光板やスイッチ液晶層などからなり、立体画像の表示時において、光変調パネル３２から入射した光の一部を遮光し、残りの一部を透過させることで、右眼用と左眼用の画像を光学的に分離させる。また、パララックスバリア３３は、平面画像の表示時においては、光変調パネル３２から入射した光をそのまま透過させる。
【００２４】
制御部２２は、立体映像表示装置１１の各部、すなわち表示部２１やパララックスバリア駆動部２３を制御する。例えば、制御部２２は、表示部２１の図示せぬ表示ドライバを駆動させて光変調パネル３２に画像を表示させたり、バックライト３１から光を射出させたりする。
【００２５】
パララックスバリア駆動部２３は、制御部２２の制御にしたがって、パララックスバリア３３を駆動させ、光変調パネル３２からパララックスバリア３３に入射する光の一部を遮光させることで、右眼用と左眼用の画像を分離させる。より具体的には、パララックスバリア駆動部２３は、パララックスバリア３３に、光を透過させるスリット領域と、光を遮光する遮光領域とを形成させる。
【００２６】
［表示部の構成例］
次に、図１の表示部２１の構成について説明する。図２は、表示部２１のより詳細な構成例を示す図である。なお、図２において、図１における場合と対応する部分には同一の符号を付してあり、その説明は適宜省略する。また、図２において横方向、奥行き方向、および縦方向を、それぞれｘ方向、ｙ方向、およびｚ方向とする。
【００２７】
図２では、光変調パネル３２は、偏光板６１、偏光板６２、対向基板６３、ＴＦＴ（Thin Film Transistor）基板６４、および液晶層６５から構成されている。
【００２８】
すなわち、対向して配置された偏光板６１と偏光板６２の間に、平板状の対向基板６３とＴＦＴ基板６４とが互いに対向するように設けられている。そして、対向基板６３とＴＦＴ基板６４との間に液晶層６５が形成されている。
【００２９】
対向基板６３の液晶層６５側の面には、画素ごとにカラーフィルタや対向電極が設けられている。特に、対向基板６３の各画素の領域には、Ｒ，Ｇ，Ｂの各色のカラーフィルタが設けられている。また、ＴＦＴ基板６４の液晶層６５側の面には、画素電極や駆動素子であるＴＦＴ（薄膜トランジスタ）が画素ごとに設けられている。
【００３０】
液晶層６５には、立体画像表示時に、左眼用の画像を表示するための光を透過させる透過部７１Ｌ−１乃至透過部７１Ｌ−４と、立体画像表示時に、右眼用の画像を表示するための光を透過させる透過部７１Ｒ−１乃至透過部７１Ｒ−４とが設けられている。光変調パネル３２では、行列状に配置された各画素に１つの透過部が設けられている。
【００３１】
立体画像または平面画像の表示時においては、対向基板６３の対向電極と、ＴＦＴ基板６４の画素電極に電圧が印加されると、その電圧の大きさに応じて、透過部７１Ｌ−１乃至透過部７１Ｒ−４内に封入されている液晶分子の配向方向が変化する。これにより、バックライト３１から光変調パネル３２に入射した光の透過率が変化し、各画素を透過する光の量が、それらの画素に表示される画像の画素の画素値に対応する光量となる。
【００３２】
なお、以下、透過部７１Ｌ−１乃至透過部７１Ｌ−４を個々に区別する必要のない場合、単に透過部７１Ｌとも称し、透過部７１Ｒ−１乃至透過部７１Ｒ−４を個々に区別する必要のない場合、単に透過部７１Ｒとも称する。また、以下、透過部７１Ｌと透過部７１Ｒを特に区別する必要のない場合、単に透過部７１とも称する。
【００３３】
光変調パネル３２では、ｘｙ平面上において、透過部７１Ｌと透過部７１Ｒとがｘ方向に交互に設けられており、ｙ方向には、透過部７１Ｌまたは透過部７１Ｒの何れかが連続して並べられている。
【００３４】
したがって、立体画像の表示時において、光変調パネル３２には、立体画像を構成する左眼用の画像上の矩形状の領域と、立体画像を構成する右眼用の画像上の矩形状の領域とがｘ方向に交互に並べられて表示されることになる。また、１つの画素、すなわち１つの透過部７１を透過する光が、画像上の１つの画素を表示する光となる。
【００３５】
ここで、立体画像を構成する左眼用と右眼用の画像は、互いに視差を有する画像であるが、図２におけるｘ方向が左眼用と右眼用の画像の視差の方向、つまり観察者の左右の眼が並ぶ方向である。以下においては、ｘ方向を視差方向とも呼ぶこととする。
【００３６】
また、２次元の平面画像の表示時においては、各透過部７１は、バックライト３１から入射してきた、平面画像を表示させるための光を透過させ、パララックスバリア３３に入射させる。
【００３７】
パララックスバリア３３は、偏光板６１、偏光板８１、透明基板８２、透明基板８３、およびスイッチ液晶層８４から構成されている。図２では、偏光板６１は、光変調パネル３２を構成する部材としても、パララックスバリア３３を構成する部材としても用いられている。
【００３８】
パララックスバリア３３では、対向して配置された偏光板６１と偏光板８１の間に、平板状の透明基板８２と透明基板８３が互いに対向するように設けられている。そして、透明基板８２と透明基板８３との間にスイッチ液晶層８４が形成されている。
【００３９】
透明基板８２と透明基板８３のスイッチ液晶層８４側の面には、電極が形成されており、これらの電極の一部または全部に電圧が印加されると、スイッチ液晶層８４内の液晶分子の配向方向が変化する。これにより、スイッチ液晶層８４には、パララックスバリア（視差バリア）が形成される。
【００４０】
図２の例では、光変調パネル３２から入射した光を透過させるスリット領域９１−１乃至スリット領域９１−４と、光変調パネル３２から入射した光を遮光する遮光領域９２−１乃至遮光領域９２−４とからなるパララックスバリアが、スイッチ液晶層８４に形成されている。
【００４１】
なお、以下、スリット領域９１−１乃至スリット領域９１−４を個々に区別する必要のない場合、単にスリット領域９１とも称し、遮光領域９２−１乃至遮光領域９２−４を個々に区別する必要のない場合、単に遮光領域９２とも称する。
【００４２】
図２では、スイッチ液晶層８４に、ｙ方向に長い矩形状のスリット領域９１と遮光領域９２とが視差方向（ｘ方向）に交互に形成されている状態となっている。つまり、スイッチ液晶層８４にはストライプ状のパララックスバリアが形成されている。ここで、遮光領域９２が形成されている領域が、電極により電圧が印加された領域である。
【００４３】
表示部２１では、立体画像の表示時には、透明基板８２と透明基板８３の電極に電圧が印加されて、スイッチ液晶層８４に図２に示すパララックスバリアが形成される。このような場合、光変調パネル３２から射出され、偏光板６１で直線偏光とされた光のうち、スリット領域９１に入射した光は、そのままスリット領域９１および偏光板８１を透過する。これに対して、光変調パネル３２から射出され、偏光板６１で直線偏光とされた光のうち、遮光領域９２に入射した光は、遮光領域９２に吸収されてパララックスバリア３３からは射出されない。
【００４４】
また、表示部２１では、平面画像の表示時には、透明基板８２と透明基板８３の電極に電圧は印加されず、スイッチ液晶層８４にパララックスバリアが形成されない。つまり、スイッチ液晶層８４の全領域がスリット領域と同じ状態となる。この場合、光変調パネル３２から入射した光は全て、パララックスバリア３３を透過して、観察者の左右の眼に入射することになる。
【００４５】
［立体映像表示装置の動作の説明］
次に、立体映像表示装置１１の動作について説明する。なお、図２に示すように、観察者は、表示部２１のパララックスバリア３３の表面からｚ方向に所定の距離（例えば、３０ｃｍ）だけ離れた位置から、立体映像表示装置１１に表示される画像を観察する。また、一般的な観察者の右眼ＥＲと左眼ＥＬとの間の距離は、６．５ｃｍ程度とされる。
【００４６】
まず、３次元の立体画像が表示される場合について説明する。そのような場合、制御部２２は、立体画像の画像信号に基づいて、光変調パネル３２の画素ごとに、対向基板６３の対向電極およびＴＦＴ基板６４の画素電極に電圧を印加させる。これにより、立体画像の各画素を表示する透過部７１は、それらの画素の画素値に応じた透過率で光を透過させるようになる。
【００４７】
また、制御部２２は、パララックスバリア駆動部２３にパララックスバリア３３の駆動を指示し、パララックスバリア駆動部２３は、その指示に応じてパララックスバリア３３を駆動させる。すなわち、パララックスバリア駆動部２３は、透明基板８２および透明基板８３の電極に電圧を印加して、スイッチ液晶層８４に、スリット領域９１と遮光領域９２とからなるパララックスバリアを形成させる。
【００４８】
さらに、制御部２２は、バックライト３１から光を射出させる。バックライト３１から射出された光は、偏光板６２およびＴＦＴ基板６４を透過して透過部７１に入射する。そして、透過部７１に入射した光は、立体画像の各画素の画素値に応じた透過率で透過部７１を透過し、対向基板６３、偏光板６１、透明基板８３、スリット領域９１、透明基板８２、および偏光板８１を介して、観察者の眼に入射する。
【００４９】
このとき、バックライト３１から射出された光のうち、左眼用の透過部７１Ｌを透過した光は、観察者の左眼ＥＬに入射し、右眼用の透過部７１Ｒを透過した光は、観察者の右眼ＥＲに入射する。これにより、立体画像を構成する左眼用および右眼用の画像が観察者の左眼ＥＬおよび右眼ＥＲで知覚され、その結果、観察者により画像が立体的に知覚されることになる。
【００５０】
例えば、バックライト３１から射出され、左眼用の透過部７１Ｌ−２を透過した光は、さらにスリット領域９１−２を透過し、観察者の左眼ＥＬに入射する。また、バックライト３１から射出され、右眼用の透過部７１Ｒ−２を透過した光は、さらにスリット領域９１−２を透過し、観察者の右眼ＥＲに入射する。
【００５１】
また、バックライト３１から射出され、透過部７１を透過した後、遮光領域９２に入射した光は、遮光領域９２により吸収（遮光）され、観察者の眼には入射しない。すなわち、これらの光はパララックスバリアによりバリアされる。
【００５２】
なお、表示部２１では、各透過部７１を透過するＲ，Ｇ，Ｂの各色の光が図２のｘｚ平面上において、略同じ幅で広がって観察者の左眼ＥＬおよび右眼ＥＲに入射するようになされている。
【００５３】
例えば、図２では、透過部７１Ｌ−２を透過したＲ，Ｇ，Ｂの各色の光、および透過部７１Ｒ−２を透過したＲ，Ｇ，Ｂの各色の光が、ｘｚ平面上において略同じ幅で広がって観察者の左眼ＥＬおよび右眼ＥＲに入射している。
【００５４】
図２では、ＭＬＲ１、ＭＬＧ１、およびＭＬＢ１は、それぞれ透過部７１Ｌ−２を透過したＲの色の光、Ｇの色の光、およびＢの色の光のそれぞれを表しており、これらの光は略同じ幅で広がって観察者の左眼ＥＬに入射している。また、図２において、ＭＲＲ１、ＭＲＧ１、およびＭＲＢ１は、それぞれ透過部７１Ｒ−２を透過したＲの色の光、Ｇの色の光、およびＢの色の光のそれぞれを表しており、これらの光も略同じ幅で広がって観察者の右眼ＥＲに入射している。
【００５５】
したがって、観察者の視点位置（左眼ＥＬおよび右眼ＥＲ）が視差方向に移動したとしても、視差方向の各位置において、観察者の眼に入射するＲ，Ｇ，Ｂの各色の光の光量比が略一定となり、立体画像の色バランスが崩れてしまうことを抑制することができる。なお、表示部２１における立体画像の色バランス（ホワイトバランス）の調整については、後述する。
【００５６】
立体画像を表示させる場合、図３に示すように、互いに視差を有する右眼用の画像ＰＲと左眼用の画像ＰＬとから、立体画像ＰＤが生成され、この立体画像ＰＤが光変調パネル３２に表示される。なお、図３中、横方向および縦方向は、ｘ方向（視差方向）およびｙ方向に対応する方向である。
【００５７】
立体画像ＰＤは、例えば、画像ＰＲと画像ＰＬをそれぞれｙ方向に長い短冊状の矩形領域に分割し、画像ＰＲから得られた矩形領域と、画像ＰＬから得られた矩形領域とをｘ方向に交互に並べることで得られる画像である。このように、画像ＰＲと画像ＰＬからなる立体画像ＰＤが光変調パネル３２に表示される場合、立体画像ＰＤを構成する左眼用の画像ＰＬは、透過部７１Ｌを有する画素に表示され、右眼用の画像ＰＲは、透過部７１Ｒを有する画素に表示されることになる。
【００５８】
次に、立体映像表示装置１１に２次元の平面画像を表示させる場合について説明する。この場合、制御部２２は、平面画像の画像信号に基づいて、光変調パネル３２の画素ごとに、画素電極等に対して電圧を印加させ、透過部７１における光の透過率を、それらの画素の画素値に応じた透過率とさせる。
【００５９】
また、制御部２２は、パララックスバリア駆動部２３を制御して、パララックスバリア３３の電極に電圧が印加されず、パララックスバリアが形成されていない状態とするとともに、表示部２１を制御し、バックライト３１から光を射出させる。
【００６０】
バックライト３１から射出された光は、光変調パネル３２およびパララックスバリア３３を透過して、観察者の左右の眼に入射する。つまり、光変調パネル３２の透過部７１を有する画素のそれぞれに、平面画像の各画素が表示される。
【００６１】
［フィルタ領域の配置について］
ところで、光変調パネル３２の各画素には、例えば図４に示すように、バックライト３１から入射した光のうちのＲ，Ｇ，Ｂの各色の成分のみを透過させてパララックスバリア３３に入射させるカラーフィルタが設けられている。なお、図４において、図２における場合と対応する部分には同一の符号を付してあり、その説明は適宜省略する。
【００６２】
また、図４では、光変調パネル３２およびスイッチ液晶層８４の一部が示されており、図中、横方向、縦方向、および奥行き方向は、それぞれｘ方向、ｙ方向、およびｚ方向を示している。さらに、図４では説明のため、スイッチ液晶層８４が光変調パネル３２に対して、図中、下方向にずらされて図示されている。
【００６３】
図４の例では、光変調パネル３２には、立体画像表示時に、右眼用の画像が表示される画素１２１Ｒ−１および画素１２１Ｒ−２と、左眼用の画像が表示される画素１２１Ｌ−１および画素１２１Ｌ−２とが設けられている。
【００６４】
なお、以下、画素１２１Ｒ−１および画素１２１Ｒ−２を特に区別する必要のない場合、単に画素１２１Ｒと称し、画素１２１Ｌ−１および画素１２１Ｌ−２を特に区別する必要のない場合、単に画素１２１Ｌと称する。また、以下、画素１２１Ｒと画素１２１Ｌを特に区別する必要のない場合、単に画素１２１と称する。
【００６５】
光変調パネル３２に設けられた各画素１２１は、画素ごとのカラーフィルタや透過部７１などからなり、立体画像の各画素が表示される領域である。光変調パネル３２では、画素１２１Ｒと画素１２１Ｌとがｘ方向に交互に配置されている。
【００６６】
例えば、画素１２１Ｒは、１つの透過部７１Ｒを有しており、透過部７１Ｒを透過した光は画素１２１Ｒの各色のカラーフィルタを透過して、パララックスバリア３３へと入射する。具体的には、例えば画素１２１Ｒ−１は、透過部７１Ｒ−３を有している。同様に、画素１２１Ｌは、１つの透過部７１Ｌを有しており、透過部７１Ｌを透過した光は画素１２１Ｌの各色のカラーフィルタを透過して、パララックスバリア３３へと入射する。
【００６７】
なお、図４では、各画素１２１に設けられたカラーフィルタのうち、Ｒの色の光のみを透過させるカラーフィルタの領域は、文字「Ｒ」が記された斜線が施されている領域とされている。また、各画素１２１に設けられたカラーフィルタのうち、Ｇの色の光のみを透過させるカラーフィルタの領域およびＢの色の光のみを透過させるカラーフィルタの領域は、それぞれ文字「Ｇ」が記された縦線が施されている領域、および文字「Ｂ」が記された横線が施されている領域とされている。
【００６８】
より具体的には、例えば図中、左側に示すように、画素１２１には、各色のカラーフィルタを有するサブ画素ＳＢＲ１１、サブ画素ＳＢＧ１１、およびサブ画素ＳＢＢ１１が設けられている。各カラーフィルタは、画素１２１を構成する対向基板６３の液晶層６５側の面（以下、フィルタ面と称する）に設けられているが、このフィルタ面において、サブ画素ＳＢＲ１１乃至サブ画素ＳＢＢ１１以外の領域は、光を遮光する遮光領域となっている。
【００６９】
また、画素１２１において、サブ画素ＳＢＲ１１には、Ｒの色の光のみを透過させるＲのカラーフィルタのフィルタ領域１３１Ｒと、光を遮光する遮光領域とが設けられている。サブ画素ＳＢＲ１１では、フィルタ面におけるフィルタ領域１３１Ｒ以外の領域が遮光領域となっている。この遮光領域は、フィルタ領域１３１Ｒとされる、サブ画素ＳＢＲ１１と同じ大きさのＲのカラーフィルタの一部を、遮光部材で遮蔽することにより形成される。
【００７０】
同様に、画素１２１において、サブ画素ＳＢＧ１１には、Ｇの色の光のみを透過させるＧのカラーフィルタのフィルタ領域１３１Ｇと、光を遮光する遮光領域とが設けられている。サブ画素ＳＢＧ１１においても、Ｇのカラーフィルタの一部を遮光部材で遮蔽することにより遮光領域が形成され、サブ画素ＳＢＧ１１内のフィルタ領域１３１Ｇ以外の領域が遮光領域となっている。
【００７１】
また、画素１２１においてサブ画素ＳＢＢ１１には、Ｂの色の光のみを透過させるＢのカラーフィルタのフィルタ領域１３１Ｂが設けられている。サブ画素ＳＢＢ１１には、遮光領域が設けられておらず、サブ画素ＳＢＢ１１の全領域がフィルタ領域１３１Ｂとなっている。なお、以下、フィルタ領域１３１Ｒ乃至フィルタ領域１３１Ｂを特に区別する必要のない場合、単にフィルタ領域１３１とも称する。
【００７２】
このように、各画素１２１には、バックライト３１から入射した光のうち、Ｒ，Ｇ，Ｂの各色の光を透過させるフィルタ領域１３１Ｒ乃至フィルタ領域１３１Ｂが設けられている。そして、これらのフィルタ領域１３１を透過した各色の光の一部が、スリット領域９１を介して観察者の眼に入射し、観察者により立体画像が知覚されることになる。
【００７３】
立体画像を表示するにあたり、観察者により知覚される立体画像の各色のバランス、すなわちホワイトバランスを適切なものとするには、観察者の眼に入射する各色の光の光量を適切な量に調整する必要がある。
【００７４】
そこで、各画素１２１では、Ｒ，Ｇ，Ｂの各色のフィルタ領域１３１のｘ方向（視差方向）の長さを略同じ長さとし、各色のフィルタ領域１３１のｘ方向と垂直なｙ方向の長さを異なる長さとすることで、各色の光の透過光量を調整している。すなわち、各色のフィルタ領域１３１の面積（各色のカラーフィルタの開口率）を調整することで、各色のバランス調整が行なわれている。このような色バランスの調整により、より適切な色バランスの立体画像を観察することが可能となる。
【００７５】
特に、図４の例では、各色のカラーフィルタ上に設ける遮光部材のｙ方向の長さを調整することで、適切な色バランスとなるように、フィルタ領域１３１のｙ方向の長さが調整される。
【００７６】
また、表示部２１では、各色のフィルタ領域１３１の視差方向の長さが略同じ長さとされている。そのため、観察者の視点が視差方向にずれたとしても、光変調パネル３２上の観察者により視認される左眼用または右眼用の画像が表示される視認領域内において、各フィルタ領域１３１の視差方向の長さが必ず略等しい長さとなる。
【００７７】
なお、視認領域とは、フィルタ面上の左眼用または右眼用の画像が表示される領域のうち、パララックスバリアによりバリアされずに、観察者の一方の眼により知覚される画像が表示されている領域である。換言すれば、バックライト３１からの光が全てフィルタ面を透過すると仮定した場合に、バックライト３１からの光のうち、スリット領域９１を介して観察者の片方の眼に入射する光が通るフィルタ面上の領域が視認領域である。
【００７８】
したがって、例えば図５に示すように、観察者の視点位置によらず、観察者の眼に入射するＲ，Ｇ，Ｂの各色の光の量の比が略一定となる。なお、図５において、横方向は観察者のｘ方向の視点位置を示しており、縦軸はＲ，Ｇ，Ｂの各色の光の相対的な透過率、つまり観察者の眼に入射する光の光量を示している。
【００７９】
図５では、折れ線ＣＲ１、ＣＧ１、およびＣＢ１は、それぞれ画素１２１Ｒのフィルタ領域１３１Ｒ、フィルタ領域１３１Ｇ、およびフィルタ領域１３１Ｂを透過して視点位置に到達する光の量を示している。また、折れ線ＣＲ２、ＣＧ２、およびＣＢ２は、それぞれ画素１２１Ｌのフィルタ領域１３１Ｒ、フィルタ領域１３１Ｇ、およびフィルタ領域１３１Ｂを透過して視点位置に到達する光の量を示している。
【００８０】
折れ線ＣＲ１、ＣＧ１、およびＣＢ１は、ピークの中心位置がｘ方向の同じ位置となっており、各視点位置において、光量（相対透過率）の比が略一定となっている。同様に、折れ線ＣＲ２、ＣＧ２、およびＣＢ２も、ピークの中心位置がｘ方向の同じ位置となっており、各視点位置において光量の比が略一定となっている。
【００８１】
したがって、画素１２１における各フィルタ領域１３１のｘ方向の幅を略同じとし、各フィルタ領域１３１のｙ方向の幅を適宜調整すれば、より簡単に適切な色バランスを得ることができる。しかも、観察者の視点位置によらず、観察者の眼に入射する各色の光量の比を略一定とすることができるので、立体画像の観察位置によって色バランスが崩れてしまうことを抑制することができる。
【００８２】
ところで、光変調パネル３２の各画素のフィルタ領域の大きさ（開口率）を調整する場合に、例えば図６に示すように、各フィルタ領域のｙ方向の幅を同じとし、ｘ方向の幅を変化させることで、各色の光量を調整する方法も考えられる。
【００８３】
なお、図６において、図２における場合と対応する部分には同一の符号を付してあり、その説明は適宜省略する。
【００８４】
また、図６では、光変調パネル３２およびスイッチ液晶層８４の一部が示されており、図中、横方向、縦方向、および奥行き方向は、それぞれｘ方向、ｙ方向、およびｚ方向を示している。さらに、図６では説明のため、スイッチ液晶層８４が光変調パネル３２に対して、図中、下方向にずらされて図示されている。
【００８５】
図６の例では、光変調パネル３２には、立体画像表示時に、右眼用の画像が表示される画素１６１Ｒ−１および画素１６１Ｒ−２と、左眼用の画像が表示される画素１６１Ｌ−１および画素１６１Ｌ−２とが設けられている。なお、以下、画素１６１Ｒ−１乃至画素１６１Ｌ−２を特に区別する必要のない場合、単に画素１６１とも称する。
【００８６】
各画素１６１には、Ｒ，Ｇ，Ｂの各色の光のみを透過させるカラーフィルタのフィルタ領域が設けられている。ここで、画素１６１において、Ｒの色の光のみを透過させるフィルタ領域は、文字「Ｒ」が記された斜線が施されている領域とされている。また、Ｇの色の光のみを透過させるフィルタ領域およびＢの色の光のみを透過させるフィルタ領域は、それぞれ文字「Ｇ」が記された縦線が施されている領域、および文字「Ｂ」が記された横線が施されている領域とされている。
【００８７】
この例では、Ｒ，Ｇ，Ｂの各色のフィルタ領域は、ｙ方向の幅が略同じであるが、ｘ方向の幅が色ごとに異なる長さとなっている。つまり、各フィルタ領域のｘ方向の幅により、色バランスの調整が行なわれている。具体的には、Ｒ，Ｇ，Ｂの各色のフィルタ領域のｘ方向の幅のうち、Ｂの色のフィルタ領域の幅が最も長く、かつＧの色のフィルタ領域の幅が最も短くなっている。
【００８８】
このような場合、表示部２１から射出される各色の光は、図７に示すように、異なる幅で広がりながら、観察者の視点位置に到達する。なお、図７において、図２における場合と対応する部分には同一の符号を付してあり、その説明は適宜省略する。また、図７において、横方向、奥行き方向、および縦方向は、それぞれｘ方向、ｙ方向、およびｚ方向を示している。
【００８９】
図７では、透過部７１Ｌ−２を透過したＲ，Ｇ，Ｂの各色の光、および透過部７１Ｒ−２を透過したＲ，Ｇ，Ｂの各色の光が、ｘｚ平面上において異なる幅で広がって観察者の左眼ＥＬおよび右眼ＥＲに入射している。
【００９０】
ここで、ＭＬＲ１１、ＭＬＧ１１、およびＭＬＢ１１は、それぞれ透過部７１Ｌ−２を透過したＲの色の光、Ｇの色の光、およびＢの色の光のそれぞれを表しており、これらの光は異なる幅で広がって観察者の左眼ＥＬに入射している。すなわち、Ｂの色の光が最も大きく広がっており、Ｇの色の光が最も広がりの幅が小さくなっている。これらの各色の光の広がる幅の関係は、図６の画素１６１における各色のフィルタ領域のｘ方向の幅の関係と同じとなっている。
【００９１】
また、ＭＲＲ１１、ＭＲＧ１１、およびＭＲＢ１１は、それぞれ透過部７１Ｒ−２を透過したＲの色の光、Ｇの色の光、およびＢの色の光のそれぞれを表しており、これらの光も異なる幅で広がって観察者の右眼ＥＲに入射している。
【００９２】
したがって、例えば図８に示すように、観察者の視点位置がｘ方向（視差方向）に移動すると、観察者の眼に入射するＲ，Ｇ，Ｂの各色の光の量の比が変化する。なお、図８において、横方向は観察者のｘ方向の視点位置を示しており、縦軸はＲ，Ｇ，Ｂの各色の光の相対的な透過率（光量）を示している。
【００９３】
図８では、折れ線ＣＲ１１、ＣＧ１１、およびＣＢ１１は、それぞれ右眼用の画像を表示する画素１６１のＲ，Ｇ，Ｂの各色のフィルタ領域を透過して視点位置に到達する光の量を示している。また、折れ線ＣＲ１２、ＣＧ１２、およびＣＢ１２は、それぞれ左眼用の画像を表示する画素１６１のＲ，Ｇ，Ｂの各色のフィルタ領域を透過して視点位置に到達する光の量を示している。
【００９４】
折れ線ＣＲ１１、ＣＧ１１、およびＣＢ１１は、ピークの中心位置がｘ方向の異なる位置となっており、視点位置によって、各色の光量（相対透過率）の比が異なっている。同様に、折れ線ＣＲ１２、ＣＧ１２、およびＣＢ１２も、ピークの中心位置がｘ方向の異なる位置となっており、各視点位置において光量の比が異なっている。これは、図６におけるＲ，Ｇ，Ｂの各色のフィルタ領域の中心位置が、それぞれｘ方向にわずかにずれているためである。
【００９５】
そのため、観察者の視点位置によって色バランスが変化してしまい、視点位置によっては、立体画像が色付いてしまうことになる。したがって、各色のフィルタ領域の開口率により色バランスの調整を行なう場合には、図６に示したフィルタ領域のｘ方向の幅により開口率を調整する方法よりも、図４に示したフィルタ領域のｙ方向の幅により開口率を調整する方法が、より適しているといえる。
【００９６】
以上のように、画素１２１の各フィルタ領域１３１のｘ方向の幅を略同じとし、各フィルタ領域１３１の中心のｘ方向の位置を略同じ位置とし、かつ各フィルタ領域１３１のｙ方向の幅を適切に調整することで、より簡単に適切な色バランスを得ることができ、視点位置によって立体画像の色バランスが崩れてしまうことを抑制することができる。立体映像表示装置１１では、３次元の立体画像を表示するときも、２次元の平面画像を表示するときも適切な色バランスを保つことができる。
【００９７】
〈第２の実施の形態〉
［表示部の構成例］
なお、以上においては、表示部２１において、バックライト３１からの光が光変調パネル３２を介してパララックスバリア３３に入射すると説明したが、光変調パネル３２とパララックスバリア３３の位置関係が逆となるようにしてもよい。すなわち、バックライト３１からの光がパララックスバリア３３に入射し、パララックスバリア３３から出射した光が光変調パネル３２に入射するようにしてもよい。
【００９８】
そのような場合、表示部２１は、例えば図９に示すように構成される。なお、図９において、図２における場合と対応する部分には同一の符号を付してあり、その説明は適宜省略する。また、図中、横方向、奥行き方向、および縦方向は、それぞれｘ方向、ｙ方向、およびｚ方向を示している。
【００９９】
図９の表示部２１は、バックライト３１、光変調パネル３２、およびパララックスバリア３３から構成され、光変調パネル３２とバックライト３１の間に、パララックスバリア３３が配置されている。
【０１００】
パララックスバリア３３は、偏光板１９１、偏光板１９２、透明基板８２、透明基板８３、およびスイッチ液晶層８４から構成されており、対向して配置された偏光板１９１と偏光板１９２の間に、透明基板８２と透明基板８３が対向して設けられている。
【０１０１】
また、光変調パネル３２は、偏光板６１、偏光板１９１、対向基板６３、ＴＦＴ基板６４、および液晶層６５から構成されている。すなわち、対向して配置された偏光板６１と偏光板１９１の間に、対向基板６３とＴＦＴ基板６４とが対向するように設けられ、対向基板６３とＴＦＴ基板６４との間に液晶層６５が形成されている。
【０１０２】
なお、図９では偏光板１９１は、光変調パネル３２を構成する部材としても、パララックスバリア３３を構成する部材としても用いられている。また、図９では、透過部７１Ｌと透過部７１Ｒの配置も図２における場合と位置関係が逆となっている。すなわち、例えば透過部７１Ｒ−１の図中、右側に透過部７１Ｌ−１が配置されている。
【０１０３】
この表示部２１に画像が表示される場合には、バックライト３１から射出された光は、パララックスバリア３３を介して光変調パネル３２に入射し、この光により光変調パネル３２に画像が表示される。つまり、パララックスバリア３３から入射し、光変調パネル３２を透過した光が観察者の眼に入射して、画像が知覚される。
【０１０４】
［フィルタ領域の配置について］
また、図９の光変調パネル３２の各画素には、例えば図１０に示すように、パララックスバリア３３のスリット領域９１から入射した光のうちのＲ，Ｇ，Ｂの各色の成分のみを透過させるカラーフィルタが設けられている。なお、図１０において、図９における場合と対応する部分には同一の符号を付してあり、その説明は適宜省略する。
【０１０５】
また、図１０では、光変調パネル３２およびスイッチ液晶層８４の一部が示されており、図中、横方向、縦方向、および奥行き方向は、それぞれｘ方向、ｙ方向、およびｚ方向を示している。さらに、図１０では説明のため、スイッチ液晶層８４が光変調パネル３２に対して、図中、下方向にずらされて図示されている。
【０１０６】
図１０の例では、光変調パネル３２には、立体画像表示時に、右眼用の画像が表示される画素２２１Ｒ−１および画素２２１Ｒ−２と、左眼用の画像が表示される画素２２１Ｌ−１および画素２２１Ｌ−２とが設けられている。
【０１０７】
なお、以下、画素２２１Ｒ−１および画素２２１Ｒ−２を特に区別する必要のない場合、単に画素２２１Ｒと称し、画素２２１Ｌ−１および画素２２１Ｌ−２を特に区別する必要のない場合、単に画素２２１Ｌと称する。また、以下、画素２２１Ｒと画素２２１Ｌを特に区別する必要のない場合、単に画素２２１と称する。
【０１０８】
光変調パネル３２に設けられた各画素２２１は、画素ごとのカラーフィルタや透過部７１などからなり、立体画像の各画素が表示される領域である。光変調パネル３２では、画素２２１Ｒと画素２２１Ｌとがｘ方向に交互に配置されている。
【０１０９】
例えば、画素２２１Ｒは、１つの透過部７１Ｒを有しており、透過部７１Ｒを透過した光は画素２２１Ｒの各色のカラーフィルタを透過して、表示部２１から射出される。
【０１１０】
なお、図１０では、各画素２２１に設けられたカラーフィルタのうち、Ｒの色の光のみを透過させるカラーフィルタの領域は、文字「Ｒ」が記された斜線が施されている領域とされている。また、各画素２２１に設けられたカラーフィルタのうち、Ｇの色の光のみを透過させるカラーフィルタの領域およびＢの色の光のみを透過させるカラーフィルタの領域は、それぞれ文字「Ｇ」が記された縦線が施されている領域、および文字「Ｂ」が記された横線が施されている領域とされている。
【０１１１】
より具体的には、例えば図中、左側に示すように、画素２２１には、各色のカラーフィルタを有するサブ画素ＳＢＲ２１、サブ画素ＳＢＧ２１、およびサブ画素ＳＢＢ２１が設けられている。各カラーフィルタは、画素２２１を構成する対向基板６３の液晶層６５側のフィルタ面に設けられているが、このフィルタ面において、サブ画素ＳＢＲ２１乃至サブ画素ＳＢＢ２１以外の領域は、光を遮光する遮光領域となっている。
【０１１２】
また、サブ画素ＳＢＲ２１乃至サブ画素ＳＢＢ２１のｙ方向の幅は略同じとなっている。さらに、画素２２１において、サブ画素ＳＢＲ２１には、Ｒのカラーフィルタのフィルタ領域２３１Ｒ−１およびフィルタ領域２３１Ｒ−２と、光を遮光する遮光領域とが設けられている。
【０１１３】
サブ画素ＳＢＲ２１では、フィルタ面におけるフィルタ領域２３１Ｒ−１およびフィルタ領域２３１Ｒ−２以外の領域が遮光領域となっており、この遮光領域は、Ｒのカラーフィルタの略中央を遮光部材で遮蔽することにより形成される。そして、Ｒのカラーフィルタのうち、遮光部材で遮蔽されなかった、遮光領域の図中、上側の領域がフィルタ領域２３１Ｒ−１とされ、下側の領域がフィルタ領域２３１Ｒ−２とされている。
【０１１４】
同様に、画素２２１において、サブ画素ＳＢＧ２１には、Ｇのカラーフィルタのフィルタ領域２３１Ｇ−１およびフィルタ領域２３１Ｇ−２と、光を遮光する遮光領域とが設けられている。サブ画素ＳＢＧ２１においても、Ｇのカラーフィルタの略中央の部分を遮光部材で遮蔽することにより、遮光領域が形成される。
【０１１５】
なお、以下、フィルタ領域２３１Ｒ−１およびフィルタ領域２３１Ｒ−２を特に区別する必要のない場合、単にフィルタ領域２３１Ｒと称する。また、フィルタ領域２３１Ｇ−１およびフィルタ領域２３１Ｇ−２を特に区別する必要のない場合、単にフィルタ領域２３１Ｇと称する。
【０１１６】
さらに、画素２２１においてサブ画素ＳＢＢ２１には、Ｂのカラーフィルタのフィルタ領域２３１Ｂが設けられている。サブ画素ＳＢＢ２１には、遮光領域が設けられておらず、サブ画素ＳＢＢ２１の全領域がフィルタ領域２３１Ｂとなっている。なお、以下、フィルタ領域２３１Ｒ乃至フィルタ領域２３１Ｂを特に区別する必要のない場合、単にフィルタ領域２３１とも称する。
【０１１７】
このように、各画素２２１には、パララックスバリア３３から入射した光のうち、Ｒ，Ｇ，Ｂの各色の光を透過させるフィルタ領域２３１が設けられている。そして、これらのフィルタ領域２３１を透過した各色の光が観察者の眼に入射し、観察者により立体画像が知覚されることになる。
【０１１８】
各画素２２１では、Ｒ，Ｇ，Ｂの各色のフィルタ領域２３１のｘ方向（視差方向）の長さを略同じ長さとし、各色のフィルタ領域２３１のｙ方向の長さを異なる長さとすることで、各色の光の透過光量が調整されている。
【０１１９】
すなわち、フィルタ領域２３１Ｒ−１とフィルタ領域２３１Ｒ−２のｙ方向の幅の合計値、フィルタ領域２３１Ｇ−１とフィルタ領域２３１Ｇ−２のｙ方向の幅の合計値、およびフィルタ領域２３１Ｂのｙ方向の幅の長さの比により、色バランスの調整が行なわれる。このような色バランス調整により、より簡単に適切な色バランスを得ることができる。
【０１２０】
ここで、サブ画素ＳＢＲ２１とサブ画素ＳＢＧ２１の略中央の領域に遮光領域が形成されているのは、カラーフィルタの配置にずれが生じたときのフィルタ領域２３１の開口率の変動を抑制するためである。
【０１２１】
すなわち、光変調パネル３２では、フィルタ領域２３１Ｒ−２とフィルタ領域２３１Ｇ−１の間（境界部分）に、これらのフィルタ領域２３１Ｒ−２およびフィルタ領域２３１Ｇ−１のｘ方向に長い端に沿うように、ＴＦＴのゲート線等の光変調パネル３２の配線が設けられている。同様に、フィルタ領域２３１Ｇ−２とフィルタ領域２３１Ｂの間にも、これらのフィルタ領域２３１Ｇ−２およびフィルタ領域２３１Ｂのｘ方向に長い端に沿うように、光変調パネル３２の配線が設けられている。
【０１２２】
ｘｙ平面上において、ゲート線や信号線等の光変調パネル３２の配線が、フィルタ領域２３１と重なると、その配線によりバックライト３１からの光が遮光されてしまい、フィルタ領域２３１の開口率が低下してしまうことがある。
【０１２３】
しかしながら、図１０の例では、サブ画素ＳＢＧ２１に注目すると、光変調パネル３２の配線は、フィルタ領域２３１Ｇ−１の図中、上端およびフィルタ領域２３１Ｇ−２の図中、下端に沿って配置されている。より詳細には、光変調パネル３２の配線は、フィルタ領域２３１Ｇにわずかに重なるように配置されている。
【０１２４】
そのため、例えばサブ画素ＳＢＧ２１が、配線に対して図中、下側にずれて配置されると、そのずれの分だけフィルタ領域２３１Ｇ−２の開口率は低下するが、フィルタ領域２３１Ｇ−１では、配置のずれの分だけ開口率が増加する。したがって、サブ画素ＳＢＧ２１の配置位置が、光変調パネル３２の配線に対して多少ずれたとしても、フィルタ領域２３１Ｇ全体の開口率は、略一定となり、適切な色バランスを保つことができる。
【０１２５】
以上のように、画素２２１においても、各色のフィルタ領域２３１の視差方向の長さが略同じ長さとされているため、観察者の視点が視差方向にずれたとしても、視認領域内において、各フィルタ領域２３１の視差方向の長さが必ず略等しい長さとなる。したがって、観察者の視点位置によらず、適切な色バランスを保つことができる。
【０１２６】
〈第３の実施の形態〉
［フィルタ領域の配置について］
なお、以上においては、光変調パネル３２の各サブ画素内のフィルタ領域のｙ方向の長さの調整を、カラーフィルタ上に遮光領域を設けることで行なうと説明したが、サブ画素自体の大きさを各色で変えて、サブ画素のｙ方向の幅を色ごとに異なる幅とするようにしてもよい。
【０１２７】
そのような場合、例えば図２の光変調パネル３２の各画素には、図１１に示すように、Ｒ，Ｇ，Ｂの各色のカラーフィルタが設けられている。なお、図１１において、図２における場合と対応する部分には同一の符号を付してあり、その説明は適宜省略する。
【０１２８】
また、図１１では、光変調パネル３２およびスイッチ液晶層８４の一部が示されており、図中、横方向、縦方向、および奥行き方向は、それぞれｘ方向、ｙ方向、およびｚ方向を示している。さらに、図１１では説明のため、スイッチ液晶層８４が光変調パネル３２に対して、図中、下方向にずらされて図示されている。
【０１２９】
図１１の例では、光変調パネル３２には、立体画像表示時に、右眼用の画像が表示される画素２６１Ｒ−１および画素２６１Ｒ−２と、左眼用の画像が表示される画素２６１Ｌ−１および画素２６１Ｌ−２とが設けられている。
【０１３０】
なお、以下、画素２６１Ｒ−１および画素２６１Ｒ−２を特に区別する必要のない場合、単に画素２６１Ｒと称し、画素２６１Ｌ−１および画素２６１Ｌ−２を特に区別する必要のない場合、単に画素２６１Ｌと称する。また、以下、画素２６１Ｒと画素２６１Ｌを特に区別する必要のない場合、単に画素２６１と称する。
【０１３１】
光変調パネル３２に設けられた各画素２６１は、画素ごとのカラーフィルタや透過部７１などからなり、立体画像の各画素が表示される領域である。光変調パネル３２では、画素２６１Ｒと画素２６１Ｌとがｘ方向に交互に配置されている。
【０１３２】
例えば画素２６１Ｒは、１つの透過部７１Ｒを有しており、透過部７１Ｒを透過した光は画素２６１Ｒの各色のカラーフィルタを透過して、パララックスバリア３３に入射する。
【０１３３】
なお、図１１では、各画素２６１のＲのカラーフィルタの領域は、文字「Ｒ」が記された斜線が施されている領域とされている。また、Ｇのカラーフィルタの領域およびＢのカラーフィルタの領域は、それぞれ文字「Ｇ」が記された縦線が施されている領域、および文字「Ｂ」が記された横線が施されている領域とされている。
【０１３４】
より具体的には、例えば図中、左側に示すように、画素２６１には、各色のカラーフィルタを有するサブ画素ＳＢＲ３１、サブ画素ＳＢＧ３１、およびサブ画素ＳＢＢ３１が設けられている。各カラーフィルタは、画素２６１を構成する対向基板６３の液晶層６５側のフィルタ面に設けられているが、このフィルタ面において、サブ画素ＳＢＲ３１乃至サブ画素ＳＢＢ３１以外の領域は、光を遮光する遮光領域となっている。
【０１３５】
また、サブ画素ＳＢＲ３１乃至サブ画素ＳＢＢ３１のｙ方向の幅はそれぞれ異なる幅となっている。さらに、画素２６１において、サブ画素ＳＢＲ３１には、その領域全体にＲのカラーフィルタのフィルタ領域２７１Ｒが設けられている。
【０１３６】
同様に、サブ画素ＳＢＧ３１には、その領域全体にＧのカラーフィルタのフィルタ領域２７１Ｇが設けられており、サブ画素ＳＢＢ３１には、その領域全体にＢのカラーフィルタのフィルタ領域２７１Ｂが設けられている。
【０１３７】
なお、以下、フィルタ領域２７１Ｒ乃至フィルタ領域２７１Ｂを特に区別する必要のない場合、単にフィルタ領域２７１とも称する。
【０１３８】
このように、各画素２６１には、バックライト３１から入射した光のうち、Ｒ，Ｇ，Ｂの各色の光を透過させるフィルタ領域２７１が設けられている。そして、これらのフィルタ領域２７１を透過した各色の光が、パララックスバリア３３を介して観察者の眼に入射し、観察者により立体画像が知覚されることになる。
【０１３９】
各画素２６１では、Ｒ，Ｇ，Ｂの各色のフィルタ領域２７１のｘ方向（視差方向）の長さを略同じ長さとし、各色のフィルタ領域２７１のｙ方向の長さを異なる長さとすることで、各色の光の透過光量が調整されている。
【０１４０】
特に、画素２６１では、サブ画素ＳＢＲ３１乃至サブ画素ＳＢＢ３１に遮光領域が設けられておらず、その分だけ各サブ画素、つまり画素２６１が小型化されている。このように画素２６１は、カラーフィルタを遮光部材で遮光しない構成となっている。カラーフィルタ上に遮光部材を設けない構成とすることで、より簡単に光変調パネル３２を製造することが可能となる。
【０１４１】
以上のように、画素２６１においても、各色のフィルタ領域２７１の視差方向の長さが略同じ長さとされているため、観察者の視点が視差方向にずれたとしても、視認領域内において、各フィルタ領域２７１の視差方向の長さが必ず略等しい長さとなる。したがって、観察者の視点位置によらず、適切な色バランスを保つことができる。
【０１４２】
〈第４の実施の形態〉
［フィルタ領域の配置について］
なお、以上においては、左眼用および右眼用の画像からなる立体画像を表示する場合について説明したが、立体映像表示装置１１が３以上の複数の視点の画像からなる多視点の立体画像を表示するようにしてもよい。
【０１４３】
そのような場合、例えば図９の光変調パネル３２の画素には、図１２の左側に示すように、Ｒ，Ｇ，Ｂの各色のカラーフィルタが設けられている。なお、図１２において、図２における場合と対応する部分には同一の符号を付してあり、その説明は適宜省略する。また、図中、横方向、縦方向、および奥行き方向は、それぞれｘ方向、ｙ方向、およびｚ方向を示している。
【０１４４】
また、図１２の例では、表示部２１は、パララックスバリア３３が、光変調パネル３２とバックライト３１の間に配置される構成となっている。
【０１４５】
図１２の左側に示す画素３０１には、各色のカラーフィルタを有するサブ画素ＳＢＲ４１、サブ画素ＳＢＧ４１、およびサブ画素ＳＢＢ４１が設けられている。各カラーフィルタは、画素３０１を構成する対向基板６３の液晶層６５側のフィルタ面に設けられているが、このフィルタ面において、サブ画素ＳＢＲ４１乃至サブ画素ＳＢＢ４１以外の領域は、光を遮光する遮光領域となっている。
【０１４６】
また、サブ画素ＳＢＲ４１乃至サブ画素ＳＢＢ４１のｙ方向の幅は略同じとなっている。さらに、画素３０１において、サブ画素ＳＢＲ４１には、Ｒのカラーフィルタのフィルタ領域３０２Ｒと、光を遮光する遮光領域とが設けられている。
【０１４７】
サブ画素ＳＢＲ４１では、フィルタ面におけるフィルタ領域３０２Ｒ以外の領域が遮光領域となっており、これらの遮光領域は、フィルタ領域３０２Ｒを構成するＲのカラーフィルタの図中、上下の端を遮光部材で遮蔽することにより形成される。
【０１４８】
同様に、サブ画素ＳＢＧ４１には、Ｇのカラーフィルタのフィルタ領域３０２Ｇと、光を遮光する遮光領域とが設けられている。サブ画素ＳＢＧ４１においても、フィルタ領域３０２Ｇを構成するＧのカラーフィルタの図中、上下の端を遮光部材で遮蔽することにより、遮光領域が形成されている。また、サブ画素ＳＢＢ４１には、その領域全体にＢのカラーフィルタのフィルタ領域３０２Ｂが設けられている。
【０１４９】
このように、画素３０１には、バックライト３１からパララックスバリア３３を介して入射した光のうち、Ｒ，Ｇ，Ｂの各色の光を透過させるフィルタ領域が設けられている。そして、これらのフィルタ領域３０２Ｒ乃至フィルタ領域３０２Ｂを透過した各色の光が、観察者の眼に入射し、観察者により立体画像が知覚されることになる。
【０１５０】
また、画素３０１では、Ｒ，Ｇ，Ｂの各色のフィルタ領域３０２Ｒ乃至フィルタ領域３０２Ｂのｘ方向（視差方向）の長さを略同じ長さとし、ｙ方向の長さを異なる長さとすることで、各色の光の透過光量（フィルタ領域の開口率）が調整されている。つまり、フィルタ領域３０２Ｒ乃至フィルタ領域３０２Ｂのｙ方向の長さにより、色バランスの調整が行なわれる。
【０１５１】
光変調パネル３２のフィルタ面には、図中、右側に示すように、画素３０１と同様の画素が並べられて配置されている。なお、図１２では、光変調パネル３２およびスイッチ液晶層８４の一部が示されており、説明のため、スイッチ液晶層８４が光変調パネル３２に対して、図中、右方向にずらされて図示されている。
【０１５２】
例えば、光変調パネル３２に、視点Ｖ１乃至視点Ｖ４の４つの異なる視点の画像からなる多視点の立体画像が表示される場合、フィルタ面上の領域ＰＶＲ１および領域ＰＶＲ５に、１つの視点Ｖ１の画像が表示される。
【０１５３】
また、フィルタ面上の領域ＰＶＲ２および領域ＰＶＲ６に、視点Ｖ２の画像が表示され、領域ＰＶＲ３に視点Ｖ３の画像が表示され、領域ＰＶＲ４に視点Ｖ４の画像が表示される。つまり、フィルタ面上において、視点Ｖ１乃至視点Ｖ４の画像が、ｘ方向に繰り返し順番に並べられて表示されることになる。
【０１５４】
そして、これらの視点Ｖ１乃至視点Ｖ４のうち、隣接して表示されている２つの視点の画像が、それぞれ観察者の左右の眼で知覚されて、立体画像が観察されることになる。
【０１５５】
なお、図１２では、各画素のＲのカラーフィルタの領域は、文字「Ｒ」が記された斜線が施されている領域とされている。また、Ｇのカラーフィルタの領域およびＢのカラーフィルタの領域は、それぞれ文字「Ｇ」が記された縦線が施されている領域、および文字「Ｂ」が記された横線が施されている領域とされている。
【０１５６】
例えば、領域ＰＶＲ１には、視点Ｖ１の画像が表示されるが、立体画像の表示時においては、領域ＰＶＲ１内にあるＲのフィルタ領域３０３Ｒ、Ｂのフィルタ領域３０３Ｂ、およびＧのフィルタ領域３０３Ｇが１つの画素として機能する。つまり、フィルタ領域３０３Ｒ、フィルタ領域３０３Ｂ、およびフィルタ領域３０３Ｇのそれぞれに、視点Ｖ１の画像の１つの画素のＲ，Ｂ，Ｇの成分のそれぞれが表示される。
【０１５７】
この場合、フィルタ領域３０３Ｒ乃至フィルタ領域３０３Ｇのｘ方向の幅は略同じとされ、ｙ方向の幅が異なる幅となるようになっている。これらのフィルタ領域のｙ方向の幅により、Ｒ，Ｇ，Ｂの色バランスが調整される。
【０１５８】
また、多視点の立体画像が表示される場合、透明基板８２と透明基板８３の電極に電圧が印加されると、スイッチ液晶層８４には、図１２中、右側に示すパララックスバリアが形成される。すなわち、バックライト３１から入射した光を遮光する遮光領域３１１−１乃至遮光領域３１１−３と、バックライト３１から入射した光を透過させるスリット領域３１２−１およびスリット領域３１２−２とからなるパララックスバリアが形成される。
【０１５９】
なお、以下、遮光領域３１１−１乃至遮光領域３１１−３を個々に区別する必要のない場合、単に遮光領域３１１とも称し、スリット領域３１２−１およびスリット領域３１２−２を個々に区別する必要のない場合、単にスリット領域３１２とも称する。
【０１６０】
図１２に示すパララックスバリアは、ｙ方向に長い矩形の遮光領域３１１とスリット領域３１２とが、ｘ方向に交互に並んでおり、ストライプ状のバリアとなっている。このようなパララックスバリアが形成された場合、観察者が所定の視点位置から立体映像表示装置１１を見ると、例えばフィルタ面上の領域Ｑ１１および領域Ｑ１２が、観察者の右眼の視認領域となる。
【０１６１】
すなわち、観察者の右眼には、視点Ｖ１乃至視点Ｖ４の画像のうち、領域Ｑ１１および領域Ｑ１２に表示される視点Ｖ１の画像のみが観察（知覚）されることになる。この場合、バックライト３１からスリット領域３１２−１を介して入射し、領域Ｑ１１内の各フィルタ領域を透過した光は、観察者の右眼に入射する。同様に、バックライト３１からスリット領域３１２−２を介して入射し、領域Ｑ１２内の各フィルタ領域を透過した光は、観察者の右眼に入射する。
【０１６２】
さらに、このとき、バックライト３１からスリット領域３１２−１およびスリット領域３１２−２のそれぞれを介して入射し、フィルタ面上の領域ＰＶＲ２および領域ＰＶＲ６内にある各フィルタ領域を透過した光が、観察者の左眼に入射する。つまり、観察者の左眼には、領域ＰＶＲ２および領域ＰＶＲ６に表示されている視点Ｖ２の画像が知覚される。
【０１６３】
したがって、観察者には、視点Ｖ１の画像および視点Ｖ２の画像からなる立体画像が知覚されることになる。観察者の視点位置が移動すると、フィルタ面上の視認領域も移動し、観察者の左右の眼には、例えば視点Ｖ２と視点Ｖ３の画像など、異なる視点の画像が観察されるようになる。
【０１６４】
このように多視点の立体画像を表示させる場合においても、フィルタ面上のｙ方向に並ぶ各色のフィルタ領域のｘ方向の長さを略同じ長さとし、ｙ方向の長さを異なる長さとすることで、より簡単に適切な色バランスを得ることができる。また、各フィルタ領域のｘ方向の長さが略同じ長さとされているため、観察者の視点がｘ方向にずれたとしても、視認領域内において、各フィルタ領域のｘ方向の長さが必ず略等しい長さとなり、適切な色バランスを保つことができる。
【０１６５】
〈第５の実施の形態〉
［フィルタ領域の配置について］
なお、以上においては、多視点の立体画像を表示させる場合に、スイッチ液晶層８４にストライプ状のパララックスバリアを形成する場合について説明したが、多視点の立体画像を表示させる場合のパララックスバリアは、どのような形状であってもよい。
【０１６６】
そのような場合のパララックスバリアとして、平行四辺形状のスリット領域がｘ方向に所定間隔で並ぶバリアや、矩形状の領域が斜め方向に並べられてできるスリット領域が、ｘ方向に所定間隔で並ぶステップバリアなどがある。
【０１６７】
例えば、立体画像の表示にステップバリアが利用される場合、透明基板８２と透明基板８３の電極に電圧が印加されると、スイッチ液晶層８４には、図１３に示すように、ステップ状のパララックスバリアが形成される。
【０１６８】
なお、図１３において、図９における場合と対応する部分には同一の符号を付してあり、その説明は適宜省略する。また、図中、横方向、縦方向、および奥行き方向は、それぞれｘ方向、ｙ方向、およびｚ方向を示している。また、図１３では、光変調パネル３２およびスイッチ液晶層８４の一部が示されており、説明のため、スイッチ液晶層８４が光変調パネル３２に対して、図中、右方向にずらされて図示されている。
【０１６９】
また、図１３の例では、表示部２１は、パララックスバリア３３が、光変調パネル３２とバックライト３１の間に配置される構成となっている。
【０１７０】
図１３の例では、光変調パネル３２のフィルタ面には、図１２に示した画素３０１と同じ構成の画素が、ｘｙ方向に行列状に並べられて配置されている。ここで、各画素のＲのカラーフィルタの領域は、文字「Ｒ」が記された斜線が施されている領域とされている。また、Ｇのカラーフィルタの領域およびＢのカラーフィルタの領域は、それぞれ文字「Ｇ」が記された縦線が施されている領域、および文字「Ｂ」が記された横線が施されている領域とされている。
【０１７１】
例えば、光変調パネル３２に、視点Ｖ１乃至視点Ｖ４の４つの異なる視点の画像からなる多視点の立体画像が表示される場合、フィルタ面上の領域ＰＶＲ２１、領域ＰＶＲ２５、および領域ＰＶＲ２９に、１つの視点Ｖ１の画像が表示される。
【０１７２】
また、フィルタ面上の領域ＰＶＲ２２および領域ＰＶＲ２６に、視点Ｖ２の画像が表示され、領域ＰＶＲ２３および領域ＰＶＲ２７に視点Ｖ３の画像が表示され、領域ＰＶＲ２４および領域ＰＶＲ２８に視点Ｖ４の画像が表示される。つまり、フィルタ面上において、視点Ｖ１乃至視点Ｖ４の画像が、ｘ方向に繰り返し順番に並べられて表示される。
【０１７３】
そして、これらの視点Ｖ１乃至視点Ｖ４のうち、隣接して表示されている２つの視点の画像が、それぞれ観察者の左右の眼で知覚されて、立体画像が観察されることになる。
【０１７４】
例えば、領域ＰＶＲ２１には、視点Ｖ１の画像が表示されるが、立体画像の表示時においては、領域ＰＶＲ２１内にあるＲのフィルタ領域３４１Ｒ、Ｇのフィルタ領域３４１Ｇ、およびＢのフィルタ領域３４１Ｂが１つの画素として機能する。つまり、フィルタ領域３４１Ｒ、フィルタ領域３４１Ｇ、およびフィルタ領域３４１Ｂのそれぞれに、視点Ｖ１の画像の１つの画素のＲ，Ｇ，Ｂの成分のそれぞれが表示される。
【０１７５】
この場合、フィルタ領域３４１Ｒ乃至フィルタ領域３４１Ｂのｘ方向の幅は略同じとされ、ｙ方向の幅が異なる幅となっている。これらのフィルタ領域のｙ方向の幅により、Ｒ，Ｇ，Ｂの色バランスが調整される。
【０１７６】
また、この場合、スイッチ液晶層８４には、バックライト３１から入射した光を遮光する遮光領域３５１−１乃至遮光領域３５１−３と、バックライト３１から入射した光を透過させるスリット領域３５２−１乃至スリット領域３５２−３とからなるパララックスバリアが形成される。
【０１７７】
なお、以下、遮光領域３５１−１乃至遮光領域３５１−３を個々に区別する必要のない場合、単に遮光領域３５１とも称し、スリット領域３５２−１乃至スリット領域３５２−２を個々に区別する必要のない場合、単にスリット領域３５２とも称する。
【０１７８】
図１３に示すスリット領域３５２は、ｙ方向に長い矩形領域が図中、右下方向に並べられてできる領域であり、パララックスバリアは、遮光領域３５１とスリット領域３５２とが、ｘ方向に交互に並べられたステップ状のバリアとなっている。
【０１７９】
このようなパララックスバリアが形成された場合、観察者が所定の視点位置から立体映像表示装置１１を見ると、例えばフィルタ面上の領域Ｑ２１乃至領域Ｑ２３が、観察者の右眼の視認領域となる。
【０１８０】
すなわち、観察者の右眼には、視点Ｖ１乃至視点Ｖ４の画像のうち、領域Ｑ２１乃至領域Ｑ２３に表示される視点Ｖ１の画像のみが知覚されることになる。この場合、バックライト３１からスリット領域３５２−１を介して入射し、領域Ｑ２１内の各フィルタ領域を透過した光は、観察者の右眼に入射する。
【０１８１】
同様に、バックライト３１からスリット領域３５２−２を介して入射し、領域Ｑ２２内の各フィルタ領域を透過した光は、観察者の右眼に入射し、バックライト３１からスリット領域３５２−３を介して領域Ｑ２３内の各フィルタ領域を透過した光は、観察者の右眼に入射する。
【０１８２】
さらに、このとき、バックライト３１からスリット領域３５２−１およびスリット領域３５２−２のそれぞれを介して入射し、フィルタ面上の領域ＰＶＲ２２および領域ＰＶＲ２６内にある各フィルタ領域を透過した光が、観察者の左眼に入射する。つまり、観察者の左眼には、領域ＰＶＲ２２および領域ＰＶＲ２６に表示されている視点Ｖ２の画像が知覚される。
【０１８３】
したがって、観察者には、視点Ｖ１の画像および視点Ｖ２の画像からなる立体画像が知覚されることになる。観察者の視点位置が移動すると、フィルタ面上の視認領域も移動し、観察者の左右の眼には、異なる視点の画像が観察されるようになる。
【０１８４】
このように、ステップバリアを用いる場合においても、フィルタ面上に並ぶ各色のフィルタ領域のｘ方向の長さを略同じ長さとし、ｙ方向の長さを異なる長さとすれば、より簡単に適切な色バランスの立体画像を表示させることができる。また、各フィルタ領域のｘ方向の長さが略同じ長さとされているため、観察者の視点がｘ方向にずれたとしても、視認領域内において、各フィルタ領域のｘ方向の長さが必ず略等しい長さとなり、適切な色バランスを保つことができる。
【０１８５】
なお、以上においては、立体画像をパララックスバリア方式により表示する場合について説明したが、レンチキュラーレンズ方式など、どのような方式で立体画像を表示するようにしてもよい。例えば、レンチキュラーレンズ方式で立体画像を表示する場合には、表示部２１に設けられたレンチキュラーレンズにより、各視点の画像が光学的に分離される。
【０１８６】
さらに、以上においては、本技術を、立体画像を表示する立体映像表示装置に適用する場合を例に説明したが、本技術は、その他、マルチディスプレイなどの表示装置にも適用することができる。マルチディスプレイでは、例えば運転席や助手席など、異なる視点位置から同時に表示画面を見た場合に、視点位置ごとに異なる２次元画像が観察されるように、画像の表示が行なわれる。
【０１８７】
また、本技術の実施の形態は、上述した実施の形態に限定されるものではなく、本技術の要旨を逸脱しない範囲において種々の変更が可能である。
【符号の説明】
【０１８８】
１１  立体映像表示装置
２１  表示部
３２  光変調パネル
３３  パララックスバリア
７１Ｌ−１乃至７１Ｌ−４，７１Ｒ−１乃至７１Ｒ−４，７１  透過部
８４  スイッチ液晶層
９１−１乃至９１−４，９１  スリット領域
９２−１乃至９２−４，９２  遮光領域
【図１】
0006389914.tif 000002
【図２】
0006389914.tif 000003
【図３】
0006389914.tif 000004
【図４】
0006389914.tif 000005
【図５】
0006389914.tif 000006
【図６】
0006389914.tif 000007
【図７】
0006389914.tif 000008
【図８】
0006389914.tif 000009
【図９】
0006389914.tif 000010
【図１０】
0006389914.tif 000011
【図１１】
0006389914.tif 000012
【図１２】
0006389914.tif 000013
【図１３】
0006389914.tif 000014